(57)【要約】【課題】隣接する端子間でのリークを抑制することができるリーク遮断構造、電子部品、及び、電子部品ユニットを提供することを目的とする。【解決手段】電子部品ユニット１００は、筐体３の外側に露出し筐体３の壁面３５に沿って延在する複数の端子５を有する電子部品１と、複数の端子５が嵌合する相手方端子６を保持する保持部材２と、電子部品１の筐体３に設けられ複数の端子５の並び方向に対して隣接する端子５の間に介在する筐体側壁面１１、１２、保持部材２に設けられ複数の端子５の並び方向に対して隣接する端子５の間に介在する保持部材側壁面１３、１４、及び、筐体側壁面１１、１２と保持部材側壁面１３、１４とが複数の端子５の並び方向に重なることで形成される重複部１５を有するリーク遮断構造１０とを備えることを特徴とする。【選択図】図１１
2016040974.tif 000002
【特許請求の範囲】
【請求項１】
筐体の外側に露出し前記筐体の壁面に沿って延在する複数の端子を有する電子部品の前記筐体に設けられ前記複数の端子の並び方向に対して隣接する前記端子の間に介在する筐体側壁面と、
前記複数の端子が嵌合する相手方端子を保持する保持部材に設けられ前記複数の端子の並び方向に対して隣接する前記端子の間に介在する保持部材側壁面と、
前記筐体側壁面と前記保持部材側壁面とが前記複数の端子の並び方向に重なることで形成される重複部とを備えることを特徴とする、
リーク遮断構造。
【請求項２】
前記複数の端子は、前記筐体の内側から外側に導出されて露出し前記筐体の壁面に沿って延在し、
前記筐体は、箱状に形成され、前記端子が導出される側の端面の端部であって、前記端子の延在方向の導出元側の端部が、前記端子より突出して形成される張出部を有し、
前記筐体側壁面は、前記張出部に形成される、
請求項１に記載のリーク遮断構造。
【請求項３】
箱状に形成される筐体と、
前記筐体の外側に露出し前記筐体の壁面に沿って延在する複数の端子と、
前記筐体に設けられ前記複数の端子の並び方向に対して隣接する前記端子の間に介在する筐体側壁面とを備え、
前記筐体側壁面は、前記複数の端子が嵌合する相手方端子を保持する保持部材に設けられ前記複数の端子の並び方向に対して隣接する前記端子の間に介在する保持部材側壁面と前記複数の端子の並び方向に重なることを特徴とする、
電子部品。
【請求項４】
筐体の外側に露出し前記筐体の壁面に沿って延在する複数の端子を有する電子部品と、
前記複数の端子が嵌合する相手方端子を保持する保持部材と、
前記電子部品の前記筐体に設けられ前記複数の端子の並び方向に対して隣接する前記端子の間に介在する筐体側壁面、前記保持部材に設けられ前記複数の端子の並び方向に対して隣接する前記端子の間に介在する保持部材側壁面、及び、前記筐体側壁面と前記保持部材側壁面とが前記複数の端子の並び方向に重なることで形成される重複部を有するリーク遮断構造とを備えることを特徴とする、
電子部品ユニット。
【発明の詳細な説明】
【技術分野】
【０００１】
本発明は、リーク遮断構造、電子部品、及び、電子部品ユニットに関する。
【背景技術】
【０００２】
車両等に搭載される従来の電子部品として、例えば、特許文献１には、電源装置と電装品との接続を制御するためのリレーモジュール等の電子部品を備えた電気接続箱（ジャンクションボックス）が開示されている。
【先行技術文献】
【特許文献】
【０００３】
【特許文献１】特開２０１０−２２１７８７号公報
【発明の概要】
【発明が解決しようとする課題】
【０００４】
ところで、上述の特許文献１に記載の電気接続箱に組み付けられた電子部品は、例えば、当該電子部品が有する隣接する端子間でのリークの抑制の点で更なる改善の余地がある。
【０００５】
本発明は、上記の事情に鑑みてなされたものであって、隣接する端子間でのリークを抑制することができるリーク遮断構造、電子部品、及び、電子部品ユニットを提供することを目的とする。
【課題を解決するための手段】
【０００６】
上記目的を達成するために、本発明に係るリーク遮断構造は、筐体の外側に露出し前記筐体の壁面に沿って延在する複数の端子を有する電子部品の前記筐体に設けられ前記複数の端子の並び方向に対して隣接する前記端子の間に介在する筐体側壁面と、前記複数の端子が嵌合する相手方端子を保持する保持部材に設けられ前記複数の端子の並び方向に対して隣接する前記端子の間に介在する保持部材側壁面と、前記筐体側壁面と前記保持部材側壁面とが前記複数の端子の並び方向に重なることで形成される重複部とを備えることを特徴とする。
【０００７】
また、上記リーク遮断構造では、前記複数の端子は、前記筐体の内側から外側に導出されて露出し前記筐体の壁面に沿って延在し、前記筐体は、箱状に形成され、前記端子が導出される側の端面の端部であって、前記端子の延在方向の導出元側の端部が、前記端子より突出して形成される張出部を有し、前記筐体側壁面は、前記張出部に形成されるものとすることができる。
【０００８】
上記目的を達成するために、本発明に係る電子部品は、箱状に形成される筐体と、前記筐体の外側に露出し前記筐体の壁面に沿って延在する複数の端子と、前記筐体に設けられ前記複数の端子の並び方向に対して隣接する前記端子の間に介在する筐体側壁面とを備え、前記筐体側壁面は、前記複数の端子が嵌合する相手方端子を保持する保持部材に設けられ前記複数の端子の並び方向に対して隣接する前記端子の間に介在する保持部材側壁面と前記複数の端子の並び方向に重なることを特徴とする。
【０００９】
上記目的を達成するために、本発明に係る電子部品ユニットは、筐体の外側に露出し前記筐体の壁面に沿って延在する複数の端子を有する電子部品と、前記複数の端子が嵌合する相手方端子を保持する保持部材と、前記電子部品の前記筐体に設けられ前記複数の端子の並び方向に対して隣接する前記端子の間に介在する筐体側壁面、前記保持部材に設けられ前記複数の端子の並び方向に対して隣接する前記端子の間に介在する保持部材側壁面、及び、前記筐体側壁面と前記保持部材側壁面とが前記複数の端子の並び方向に重なることで形成される重複部を有するリーク遮断構造とを備えることを特徴とする。
【発明の効果】
【００１０】
本発明に係るリーク遮断構造、電子部品、及び、電子部品ユニットは、電子部品の筐体に設けられ隣接する端子の間に介在する筐体側壁面と保持部材に設けられ隣接する端子の間に介在する保持部材側壁面とが端子の並び方向に対して重複する重複部を構成する。この結果、リーク遮断構造、電子部品、及び、電子部品ユニットは、当該重複部によって、隣接する端子間の沿面距離を確保することができるので、隣接する端子間でのリークを抑制することができる、という効果を奏する。
【図面の簡単な説明】
【００１１】
【図１】図１は、実施形態に係る電子部品が適用された電子部品ユニットの分解斜視図である。
【図２】図２は、実施形態に係る電子部品が適用された電子部品ユニットの斜視図である。
【図３】図３は、実施形態に係る電子部品の概略構成を表す斜視図である。
【図４】図４は、実施形態に係る電子部品の概略構成を表す分解斜視図である。
【図５】図５は、実施形態に係る電子部品の長辺側の側面図である。
【図６】図６は、実施形態に係る電子部品の短辺側の側面図である。
【図７】図７は、実施形態に係る電子部品の短辺側の側面図である。
【図８】図８は、実施形態に係る電子部品が組み付けられる収容部材の平面図である。
【図９】図９は、実施形態に係る電子部品の筐体側壁面近傍の部分斜視図である。
【図１０】図１０は、実施形態に係る収容部材の収容部材側壁面近傍の部分斜視図である。
【図１１】図１１は、実施形態に係るリーク遮断構造を含む部分斜視図である。
【図１２】図１２は、実施形態に係るリーク遮断構造を含む第１幅方向に沿った部分断面図である。
【発明を実施するための形態】
【００１２】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００１３】
［実施形態］
図１は、実施形態に係る電子部品が適用された電子部品ユニットの分解斜視図である。図２は、実施形態に係る電子部品が適用された電子部品ユニットの斜視図である。図３は、実施形態に係る電子部品の概略構成を表す斜視図である。図４は、実施形態に係る電子部品の概略構成を表す分解斜視図である。図５は、実施形態に係る電子部品の長辺側の側面図（図３中に示すＡ矢視図）である。図６は、実施形態に係る電子部品の短辺側の側面図（図３中に示すＢ矢視図）である。図７は、実施形態に係る電子部品の短辺側の側面図（図３中に示すＣ矢視図）である。図８は、実施形態に係る電子部品が組み付けられる収容部材の平面図である。図９は、実施形態に係る電子部品の筐体側壁面近傍の部分斜視図である。図１０は、実施形態に係る収容部材の収容部材側壁面近傍の部分斜視図である。図１１は、実施形態に係るリーク遮断構造を含む部分斜視図である。図１２は、実施形態に係るリーク遮断構造を含む第１幅方向に沿った部分断面図である。なお、図４は、電子部品本体を二点鎖線で図示している。
【００１４】
本実施形態に係る電子部品１は、図１、図２に示すように、電子部品ユニット１００に適用され、自動車等の車両に搭載される電気接続箱に対して脱着可能に組み付けられる。ここで、電気接続箱は、ワイヤハーネス・電線等の接続処理用部品を構成するコネクタ、ヒューズ、リレー、分岐部、電子制御ユニット等の電装品を集約して内部に収容するものである。電気接続箱は、例えば、車両のエンジンルームや車体の下方部分に設置され、バッテリ等の電源と、車両内に搭載される各種電子機器との間に接続されている。電気接続箱は、電源から供給された電力を車両内の各種電子機器に分配する。なお、電気接続箱は、ジャンクションボックス、ヒューズボックス、リレーボックスなどとも呼ばれる場合があるが、本実施形態ではこれらを総称して電気接続箱と呼ぶ。電気接続箱は、絶縁性の合成樹脂によって形成されるフレーム、アッパカバー、ロアカバー等を含んで構成される筐体内に、電子部品１を含む種々の電子部品が収容される。電気接続箱は、フレームに一体的に形成される種々の形状の区画壁、フレームに着脱可能に組み付けられる種々の形状のブロック等によって形成される多数のキャビティ内に、それぞれ電子部品１を含む種々の電子部品が組み付けられる。そして、電気接続箱は、電子部品１を含む種々の電子部品が組み付けられたキャビティに対して電線の端子等が嵌合し電気的に接続される。
【００１５】
そして、本実施形態の電子部品１が適用される電子部品ユニット１００は、当該電子部品１と、保持部材としての収容部材２とを備える。図１、図２に例示する電子部品ユニット１００は、電子部品１を２つ備えるものとして図示しているが、これに限らず、１つであってもよいし、３つ以上であってもよい。２つの電子部品１は、同等の構成である。そしてさらに、本実施形態の電子部品ユニット１は、図９、図１０、図１１、図１２に示すように、リーク遮断構造１０を備えることで、電子部品１の隣接する端子５間でのリークの抑制を図っている。
【００１６】
まずここで、図３、図４、図５、図６、図７を参照して、電子部品１の概略構成について説明する。電子部品１は、筐体３と、電子部品本体４と、端子５とを備える。
【００１７】
なお、以下の説明では、筐体３の外側に露出する端子５が延在する延在方向を「高さ方向」といい、延在方向（高さ方向）の一方側を「導出元側」といい、他方側を「先端側」という場合がある。また、以下の説明では、延在方向（高さ方向）と直交する２つの方向をそれぞれ「第１幅方向」、「第２幅方向」という場合がある。典型的には、第１の方向としての延在方向（高さ方向）と第２の方向としての第１幅方向と第３の方向としての第２幅方向とは、相互に直交する。
【００１８】
筐体３は、内部に電子部品本体４を収容するものである。筐体３は、箱状に形成される容器である。筐体３は、ベース３１とケース３２とを含んで構成される。ベース３１とケース３２とは、ともに絶縁性の合成樹脂によって形成される。ベース３１は、矩形板状に形成される蓋状部材であり、電子部品本体４が組み付けられるものである。ここでは、ベース３１は、第１幅方向が短辺方向、第２幅方向が長辺方向となっている。ケース３２は、中空の直方体箱状に形成される箱状部材であり、ベース３１に組み付けられた電子部品本体４を覆うものである。ケース３２は、内部に形成される中空部が電子部品本体４を収容するための収容空間部３３となる。収容空間部３３は、ケース３２において、高さ方向（延在方向）の導出元側に開口３４が形成される（図４等参照）。ここでは、ケース３２は、第２幅方向に対向する一対の壁面３５、第１幅方向に対向する一対の壁面３６、及び、高さ方向先端側に位置する底面３７によって収容空間部３３が区画されると共に、高さ方向の導出元側に開口３４が形成される。ケース３２は、一対の壁面３５、及び、一対の壁面３６の４面が側面となる。そして、ベース３１は、電子部品本体４が組み付けられた状態で、ケース３２の開口３４を塞ぐような位置関係で当該ケース３２に組み付けられ、種々の形式の係止機構によって係止される（図４等参照）。つまり、筐体３は、ベース３１が高さ方向の導出元側に位置し、ケース３２が高さ方向の先端側に位置する。筐体３は、ベース３１とケース３２とが組み合わさって全体として直方体状の箱状に形成され内部に形成された収容空間部３３に電子部品本体４を収容する。また、この筐体３は、ベース３１において第２幅方向（長辺方向）沿った一方の端面に係合突起部３８が形成されている。係合突起部３８は、後述の収容部材２と係合するための係合爪であり、第２幅方向のほぼ中央に形成されている。
【００１９】
電子部品本体４は、筐体３の内部に収容されるものである。電子部品本体４は、電気製品に使用される部品であり、例えば、コネクタ、ヒューズ、リレー、分岐部、電子制御ユニット等である。ここでは、電子部品本体４は、コイル等によって構成される電磁石によって接点を物理的に動かすことで、例えば、電源装置等と電装品との接続を制御するリレー（電磁継電器）であるものとして説明する。
【００２０】
端子５は、筐体３の内側から外側に導出されて露出し筐体３の壁面、ここでは、筐体３のケース３２において第２幅方向（長辺方向）の端面を構成する壁面３５に沿って延在する。端子５は、電子部品本体４と電気的に接続される導電性の金属バスバーによって構成された板状のリード端子である。当該端子５は、タブと呼ばれる場合もある。ここでは、電子部品１は、複数の端子５を備えている。より詳細には、電子部品１は、複数の端子５として、第１端子５１、第２端子５２、第３端子５３、第４端子５４の４つを含んでいる。第１端子５１は、ケース３２において第２幅方向（長辺方向）の端面を構成する一方の壁面３５と対向して延在する。第２端子５２、第３端子５３、第４端子５４は、ケース３２において第２幅方向の端面を構成する他方の壁面３５と対向して延在する。つまり、第１端子５１と第２端子５２、第３端子５３、第４端子５４とは筐体３において第２幅方向に対向する各壁面３５において、第２幅方向に沿って互いに離れる方向に張り出すと共に、それぞれ当該各壁面３５に沿って形成される。第１端子５１は、一方の壁面３５の第１幅方向のほぼ中央に位置する（図７等参照）。第２端子５２、第３端子５３、第４端子５４は、第２端子５２が他方の壁面３５の第１幅方向のほぼ中央に位置し、第３端子５３、第４端子５４が第２端子５２の第１幅方向両側に互いに間隔をあけて位置する（図６等参照）。第２端子５２、第３端子５３、第４端子５４は、第２端子５２が第３端子５３、第４端子５４よりも相対的に幅広に形成されている。なお、以下の説明では、第１端子５１、第２端子５２、第３端子５３、第４端子５４を区別して説明する必要がない場合には単に「各端子５」という場合がある。
【００２１】
より詳細には、各端子５は、電子部品本体４から筐体３の外側に導出されて露出する。各端子５は、ベース３１側、すなわち、高さ方向の導出元側で筐体３の内側から外側に導出され、高さ方向の先端側に向けて延在する。各端子５は、ベース３１側、すなわち、高さ方向の導出元側で第２幅方向に沿って突出すると共に屈曲部５ａ（図６、図７等参照）を介して高さ方向先端側に向けて屈曲する。そして、各端子５は、各壁面３５に沿って高さ方向の先端側に向けて延在するようにして突出する。これにより、各端子５は、筐体３のケース３２において第２幅方向の端面を構成する壁面３５から間隔をあけるように当該壁面３５から離れる側に突出し、当該筐体３から張り出した形状となる。各端子５は、高さ方向の導出元側が、第２幅方向に沿って張り出した基端部（導出部）５ｂ（図５、図６、図７等参照）となり、屈曲部５ａを挟んで高さ方向の先端側が、相手方端子６と接触する接触部５ｃ（図５、図６、図７等参照）となる。各端子５は、高さ方向に対する屈曲部５ａの位置、及び、先端５ｄ（図５、図６、図７等参照）の位置がほぼ同等の位置となっている。各端子５は、例えば、インサート成形等によって、基端部５ｂ側（すなわち、電子部品本体４側）が、ベース３１の高さ方向先端側の面に一体的に設けられる。
【００２２】
ここで、本実施形態の筐体３は、さらに、張出部３９を有している。張出部３９は、ベース３１においてケース３２から張り出している庇状の部分である。張出部３９は、ケース３２から第２幅方向に沿って張り出している。張出部３９は、ベース３１の、各端子５が導出される側の端面の端部であって、各端子５の延在方向の導出元側の端部が、端子５より当該端子５の導出側に突出するようにして形成される。つまり、張出部３９は、ベース３１において、各端子５と対向する各壁面３５側の端面の端部であって、各端子５の延在方向の導出元側の端部が、各端子５より各壁面３５から離れる側に突出し、各端子５の高さ方向導出元側を覆うようにして形成される。ここでは、張出部３９は、ベース３１の第２幅方向両側に一対で設けられる。
【００２３】
より詳細には、各張出部３９は、それぞれ一対の突出部３９ａと、板状部３９ｂとを含んで構成される。一対の突出部３９ａは、ベース３１における各端子５が導出される側の端面において、各端子５が延在する延在方向の導出元側の端部の幅方向の両外端が、各端子５より当該端子５の導出側に突出することで形成される。言い換えれば、一対の突出部３９ａは、ベース３１における各壁面３５側の端面において、各端子５の延在方向の導出元側の端部の幅方向の両外端が、各端子５より各壁面３５から離れる側に突出する。一対の突出部３９ａの突出量は、ほぼ同等である。板状部３９ｂは、一対の突出部３９ａを接続する板状の部分である。板状部３９ｂは、第１幅方向に沿って一対の突出部３９ａの間を塞ぐようにして形成される。ここでは、一対の突出部３９ａは、高さ方向（延在方向）に沿った長さが板状部３９ｂより長くなるように形成される。一対の突出部３９ａは、板状部３９ｂから高さ方向先端側に突出するようにして形成される。つまり、各張出部３９は、一対の突出部３９ａと板状部３９ｂとが一体で形成され、第２幅方向から視た側面視（図６、図７に示す短辺側の側面）にて、開口が高さ方向先端側を向いた略コの字型に形成される。ここでは、第２幅方向の一方側の各突出部３９ａと他方側の各突出部３９ａとは、それぞれ第２幅方向に沿って一続きの梁状部３９ｃを形成する。各梁状部３９ｃは、ベース３１の第１幅方向の両端面に第２幅方向に沿って形成される。上述の係合突起部３８は、当該梁状部３９ｃのうちの一方の第２幅方向のほぼ中央に形成される。
【００２４】
上述の各端子５は、ベース３１の各張出部３９によって高さ方向導出元側が覆われる。なおここでは、各端子５は、図６、図７等に示すように、屈曲部５ａが筐体３の外側でかつ各張出部３９の高さ方向先端側の面の近傍に位置するものとして図示しているがこれに限らない。各端子５は、例えば、各張出部３９から直接的に高さ方向先端側に突出し壁面３５に沿って延在するようにベース３１と一体的に設けられてもよい。つまり、各端子５は、例えば、屈曲部５ａ、基端部５ｂがベース３１を構成する合成樹脂によって包囲され、接触部５ｃが高さ方向先端側に突出し壁面３５に沿って延在するように形成されてもよい。
【００２５】
次に、図１、図２、図８を参照して、収容部材２の概略構成について説明する。収容部材２は、電子部品１が挿入され当該電子部品１を収容するハウジング部材である。収容部材２は、例えば、電気接続箱を構成するフレームの一部であってもよいし、フレームに組み付けられるブロックの一部であってもよいし、フレーム、ブロック等に組み付けられるものであってもよい。収容部材２は、相手方端子６を保持するための保持部材でもある。相手方端子６は、各端子５が嵌合するものである。
【００２６】
収容部材２は、電子部品１の筐体３が嵌合する第１収容室としてのメインキャビティ２１と、相手方端子６を保持すると共に電子部品１の端子５が嵌合する第２収容室としてのサブキャビティ２２とを備える。収容部材２は、メインキャビティ２１やサブキャビティ２２等を区画する区画壁等の壁面を含んで構成され、絶縁性の合成樹脂によって、全体として略直方体状の箱状に形成される。
【００２７】
メインキャビティ２１は、筐体３のケース３２を収容可能な大きさ・形状の略直方体状に形成された空間部であり、高さ方向導出元側の開口を介して筐体３のケース３２を案内して収容する。ここでは、メインキャビティ２１は、２つの電子部品１に対応して２つ形成されている。２つのメインキャビティ２１は、第１幅方向に隣接して設けられる。各メインキャビティ２１は、第２幅方向が長辺方向、第１幅方向が短辺方向となっている。
【００２８】
サブキャビティ２２は、各端子５を収容可能な大きさ・形状で高さ方向に沿って延在する空間部であり、内部に相手方端子６を保持すると共に高さ方向導出元側の開口を介して各端子５の先端５ｄを案内して収容する。サブキャビティ２２は、各電子部品１の複数の端子５に対応して複数形成される。収容部材２は、複数のサブキャビティ２２として、第１端子５１が嵌合する第１キャビティ２３、第２端子５２が嵌合する第２キャビティ２４、第３端子５３が嵌合する第３キャビティ２５、第４端子５４が嵌合する第４キャビティ２６の４つを１組として、各電子部品１それぞれに対応して１組ずつ、合計８つを含んでいる。サブキャビティ２２は、第２幅方向に対して一方のメインキャビティ２１を挟むようにして、第１キャビティ２３がメインキャビティ２１の第２幅方向一方側に形成され、第２キャビティ２４、第３キャビティ２５、第４キャビティ２６がメインキャビティ２１の第２幅方向他方側に形成される。第２キャビティ２４、第３キャビティ２５、第４キャビティ２６は、第１幅方向に沿って所定の間隔をあけて形成され、ここでは、第２キャビティ２４が中央に位置し、第３キャビティ２５、第４キャビティ２６が第２キャビティ２４の第１幅方向両側にそれぞれ形成される。また、サブキャビティ２２は、他方のメインキャビティ２１に対しても同様に、第１キャビティ２３、第２キャビティ２４、第３キャビティ２５、第４キャビティ２６が形成される。ただし、一方のメインキャビティ２１及びこれを挟むようにして形成される第１キャビティ２３、第２キャビティ２４、第３キャビティ２５、第４キャビティ２６と、他方のメインキャビティ２１及びこれを挟むようにして形成される第１キャビティ２３、第２キャビティ２４、第３キャビティ２５、第４キャビティ２６とは、点対称となる形状・位置関係、言い換えれば、高さ方向を軸として１８０°回転させたような形状・位置関係で形成されている。各第１キャビティ２３、各第２キャビティ２４、各第３キャビティ２５、各第４キャビティ２６は、それぞれ第１端子５１、第２端子５２、第３端子５３、第４端子５４に対応させて、所定の位置に相手方端子（ここでは、雌型の端子）６を保持する。相手方端子６は、各端子５の接触部５ｃが嵌合され電気的に接続されるものであり、導電性の端子金具によって構成され、例えば、電線等と電気的に接続されている。
【００２９】
収容部材２は、電子部品１の筐体３がメインキャビティ２１に嵌合され収容された状態で、各サブキャビティ２２の開口が形成された高さ方向導出元側の面が、ベース３１の各突出部３９ａとの当たり面２８となる（図８、図１０等参照）。また、収容部材２は、各メインキャビティ２１を区画する壁面にそれぞれ係合凹部２７が形成されている。各係合凹部２７は、ベース３１に形成された上述の係合突起部３８と係合することで、各電子部品１を収容部材２に係止するものである。各係合凹部２７は、第２幅方向（長辺方向）に沿った壁面に形成される。
【００３０】
上記のように構成される電子部品ユニット１００は、各電子部品１の筐体３のケース３２側が各メインキャビティ２１に嵌合され収容されると共に、各端子５（第１端子５１、第２端子５２、第３端子５３、第４端子５４が各サブキャビティ２２（第１キャビティ２３、第２キャビティ２４、第３キャビティ２５、第４キャビティ２６）に嵌合され収容される。これにより、電子部品ユニット１００は、各電子部品１の各端子５と収容部材２に保持された各相手方端子６とが電気的に接続される。電子部品ユニット１００は、各端子５と各相手方端子６とが電気的に接続された状態で、ベース３１に形成された係合突起部３８が収容部材２に形成された各係合凹部２７と係合することで、各電子部品１が収容部材２に係止される（図２等参照）。電子部品ユニット１００は、各電子部品１が収容部材２に係止された状態で、高さ方向に対して筐体３のベース３１がメインキャビティ２１、サブキャビティ２２を覆うような位置関係となる。そして、電子部品ユニット１００は、各電子部品１が収容部材２に係止された状態で、ベース３１の各突出部３９ａの高さ方向先端側の端部と収容部材２の当たり面２８とが当接する。
【００３１】
次に、図９、図１０、図１１、図１２を参照してリーク遮断構造１０の概略構成について説明する。リーク遮断構造１０は、筐体側壁面１１、１２と、保持部材側壁面としての収容部材側壁面１３、１４と、重複部１５とを有する。
【００３２】
筐体側壁面１１、１２は、図９等に示すように、筐体３に設けられ複数の端子５の並び方向に対して隣接する端子５の間に介在するものである。ここで、複数の端子５の並び方向は、第１幅方向に相当する。筐体側壁面１１、１２は、筐体３を構成するベース３１の張出部３９に形成される。より詳細には、筐体側壁面１１、１２は、張出部３９を構成する板状部３９ｂの高さ方向先端側の面から当該高さ方向先端側に突出した突部状の壁面として形成される。筐体側壁面１１、１２は、第１幅方向に沿った断面形状が略矩形状に形成されると共に、第２幅方向に沿ってケース３２の壁面３５の近傍まで直線状に延在する。ここでは、リーク遮断構造１０は、第２端子５２と第３端子５３との間に筐体側壁面１１が形成され、第２端子５２と第４端子５４との間に筐体側壁面１２が形成される。言い換えれば、筐体側壁面１１、１２は、第２端子５２の第１幅方向両側に設けられる。筐体側壁面１１、１２は、高さ方向に沿った先端位置が各端子５の基端部５ｂの側方に位置し第２端子５２の基端部５ｂを第１幅方向に沿って挟み込むような位置関係で形成される。
【００３３】
収容部材側壁面１３、１４は、図１０、図１２等に示すように、収容部材２に設けられ複数の端子５の並び方向に対して隣接する端子５の間に介在する。複数の端子５の並び方向は、上述したように、第１幅方向に相当する。収容部材側壁面１３、１４は、収容部材２において、各サブキャビティ２２の開口が形成された当たり面２８に形成される。より詳細には、収容部材側壁面１３、１４は、当たり面２８から高さ方向導出元側に突出した突部状の壁面として形成される。収容部材側壁面１３、１４は、第２幅方向に沿って収容部材２の外面からメインキャビティ２１の近傍まで直線状に延在する。ここでは、リーク遮断構造１０は、第２端子５２と第３端子５３との間に位置するように収容部材側壁面１３が形成され、第２端子５２と第４端子５４との間に位置するように収容部材側壁面１４が形成される。言い換えれば、収容部材側壁面１３、１４は、第２端子５２の第１幅方向両側に位置するように設けられる。より詳細には、電子部品１と収容部材２とが組み付けられた状態で、収容部材側壁面１３は、第１幅方向に対して筐体側壁面１１と第２端子５２との間に位置し、収容部材側壁面１４は、第１幅方向に対して筐体側壁面１２と第２端子５２との間に位置する。また、収容部材側壁面１３、１４は、第１幅方向に対して互いに対向する面にそれぞれテーパ面１３ａ、１４ａが形成される（図１２等参照）。テーパ面１３ａ、１４ａは、各電子部品１を収容部材２に組み付ける際に複数の端子５のうち最も幅広で強度の高い第２端子５２の先端５ｄを拾い、第２キャビティ２４側に案内するためのガイド面である。
【００３４】
重複部１５は、図１１、図１２等に示すように、筐体側壁面１１、１２と収容部材側壁面１３、１４とが複数の端子５の並び方向に重なることで形成される部分である。言い換えれば、重複部１５は、複数の端子５の並び方向（第１幅方向）と直交（交差）する端子５の延在方向に対して筐体側壁面１１、１２と収容部材側壁面１３、１４とがオーバーラップする部分である。筐体側壁面１１と収容部材側壁面１３とは、第２端子５２と第３端子５３との間で、第１幅方向に対して互いに対向し、筐体側壁面１２と収容部材側壁面１４とは、第２端子５２と第４端子５４との間で、第１幅方向に対して互いに対向する。筐体側壁面１１、１２と収容部材側壁面１３、１４とは、それぞれ端子５の並び方向に対して相互に重なり合うような突出量で形成される。ここでは、収容部材側壁面１３、１４は、電子部品１の筐体３がメインキャビティ２１に嵌合され収容され、電子部品１が収容部材２に係止された状態で、高さ方向に沿った先端位置が各端子５の基端部５ｂの側方に位置し、第２端子５２の基端部５ｂを第１幅方向に沿って挟み込むような突出量で形成される。リーク遮断構造１０は、当該重複部１５にて迷路状の構造を形成する。
【００３５】
上記のように構成される電子部品ユニット１００は、図１１、図１２等に示すように、各電子部品１の筐体３がメインキャビティ２１に嵌合され収容され、電子部品１が収容部材２に係止された状態で、リーク遮断構造１０を構成する筐体側壁面１１、１２と収容部材側壁面１３、１４とが端子５の並び方向に重複する重複部１５を構成する。この結果、電子部品ユニット１００は、例えば、重複部１５を備えない場合と比較して、当該重複部１５によって、隣接する端子５間の沿面距離（Ｃｒｅｅｐａｇｅ  ｄｉｓｔａｎｃｅ）を相対的に長く確保することができる。したがって、電子部品ユニット１００は、例えば、仮に電気接続箱に水が侵入したり結露が生じたりして電子部品１に水滴が付着したような場合であっても、隣接する端子５間の沿面距離を相対的に長く確保することができるので、隣接する端子５間でのリークを抑制することができる。ここで、沿面距離とは、２つの導電性部分間の、絶縁物の表面に沿った最短距離に相当する。
【００３６】
以上で説明したリーク遮断構造１０によれば、筐体３の外側に露出し筐体３の壁面３５に沿って延在する複数の端子５を有する電子部品１の筐体３に設けられ複数の端子５の並び方向に対して隣接する端子５の間に介在する筐体側壁面１１、１２と、複数の端子５が嵌合する相手方端子６を保持する収容部材２に設けられ複数の端子５の並び方向に対して隣接する端子５の間に介在する収容部材側壁面１３、１４と、筐体側壁面１１、１２と収容部材側壁面１３、１４とが複数の端子５の並び方向に重なることで形成される重複部１５とを備える。
【００３７】
以上で説明した電子部品１によれば、箱状に形成される筐体３と、筐体３の外側に露出し筐体３の壁面３５に沿って延在する複数の端子５と、筐体３に設けられ複数の端子５の並び方向に対して隣接する端子５の間に介在する筐体側壁面１１、１２とを備え、筐体側壁面１１、１２は、複数の端子５が嵌合する相手方端子６を保持する収容部材２に設けられ複数の端子５の並び方向に対して隣接する端子５の間に介在する収容部材側壁面１３、１４と複数の端子５の並び方向に重なる。
【００３８】
以上で説明した電子部品ユニット１００によれば、筐体３の外側に露出し筐体３の壁面３５に沿って延在する複数の端子５を有する電子部品１と、複数の端子５が嵌合する相手方端子６を保持する収容部材２と、電子部品１の筐体３に設けられ複数の端子５の並び方向に対して隣接する端子５の間に介在する筐体側壁面１１、１２、収容部材２に設けられ複数の端子５の並び方向に対して隣接する端子５の間に介在する収容部材側壁面１３、１４、及び、筐体側壁面１１、１２と収容部材側壁面１３、１４とが複数の端子５の並び方向に重なることで形成される重複部１５を有するリーク遮断構造１０とを備える。
【００３９】
したがって、リーク遮断構造１０、電子部品１、及び、電子部品ユニット１００は、電子部品１の筐体３に設けられ隣接する端子５の間に介在する筐体側壁面１１、１２と収容部材２に設けられ隣接する端子５の間に介在する収容部材側壁面１３、１４とが端子５の並び方向に対して重複する重複部１５を構成する。この結果、リーク遮断構造１０、電子部品１、及び、電子部品ユニット１００は、当該重複部１５によって、隣接する端子５間の沿面距離を確保することができるので、隣接する端子５間でのリークを抑制することができる。
【００４０】
さらに、以上で説明したリーク遮断構造１０、電子部品１、電子部品ユニット１００によれば、複数の端子５は、筐体３の内側から外側に導出されて露出し筐体３の壁面３５に沿って延在し、筐体３は、箱状に形成され、端子５が導出される側の端面の端部であって、端子５の延在方向の導出元側の端部が、端子５より突出して形成される張出部３９を有し、筐体側壁面１１、１２は、張出部３９に形成される。したがって、リーク遮断構造１０、電子部品１、電子部品ユニット１００は、筐体３の張出部３９側、言い換えれば、各端子５の基端部５ｂ側において、重複部１５を形成して隣接する端子５間でのリークを抑制することができる。
【００４１】
なお、上述した本発明の実施形態に係るリーク遮断構造、電子部品、及び、電子部品ユニットは、上述した実施形態に限定されず、特許請求の範囲に記載された範囲で種々の変更が可能である。
【００４２】
以上で説明した電子部品本体４は、リレーであるものとして説明したがこれに限らず、コネクタ、ヒューズ、分岐部、電子制御ユニット等であってもよい。
【００４３】
以上で説明した電子部品１は、複数の端子５として、第１端子５１、第２端子５２、第３端子５３、第４端子５４の４つを備えるものとして説明したが、これに限らず、４つ以外の複数であってもよい。また、端子５は、筐体３において第２幅方向に対向する各壁面３５に沿ってそれぞれ形成されるものとして説明したが、これに限らず、少なくとも一対の壁面３５、及び、一対の壁面３６のうちのいずれか１つに沿って形成されればよい。つまり、端子５は、第１幅方向に対向する各壁面３６に沿ってそれぞれ形成されてもよいし、壁面３５と壁面３６とに沿ってそれぞれ形成され、これに応じて張出部３９等が形成されればよい。
【００４４】
以上で説明した筐体側壁面１１、１２、収容部材側壁面１３、１４は、延在方向（高さ方向）沿って突出した突部状の壁面として形成されるものとして説明したがこれに限らない。例えば、筐体側壁面１１、１２と収容部材側壁面１３、１４とは、いずれか一方が奥部状の壁面として形成されてもよい。
【００４５】
以上で説明した電子部品ユニット１００は、電子部品１を収容部材２に係止するための機構として係合突起部３８、係合凹部２７を備えるものとして説明したが、端子５と相手方端子６との保持力で電子部品１を収容部材２に係止することができるものであれば、係合突起部３８、係合凹部２７を備えない構成であってもよい。
【００４６】
以上で説明した筐体３は、ベース３１とケース３２とによって直方体状の箱状に形成されるものとして説明したがこれに限らず、ベース３１とケース３２とに区別されていなくてもよいし、直方体以外の多角形箱状に形成されてもよい。
【符号の説明】
【００４７】
１    電子部品
２    収容部材（保持部材）
３    筐体
５    端子
６    相手方端子
１０    リーク遮断構造
１１、１２    筐体側壁面
１３、１４    収容部材側壁面（保持部材側壁面）
１５    重複部
３５、３６    壁面
３９    張出部
【図１】
2016040974.tif 000003
【図２】
2016040974.tif 000004
【図３】
2016040974.tif 000005
【図４】
2016040974.tif 000006
【図５】
2016040974.tif 000007
【図６】
2016040974.tif 000008
【図７】
2016040974.tif 000009
【図８】
2016040974.tif 000010
【図９】
2016040974.tif 000011
【図１０】
2016040974.tif 000012
【図１１】
2016040974.tif 000013
【図１２】
2016040974.tif 000014